【手続補正書】
【提出日】平成17年11月1日(2005.11.1)
【手続補正１】
【補正対象書類名】特許請求の範囲
【補正対象項目名】全文
【補正方法】変更
【補正の内容】
【特許請求の範囲】
【請求項１】
複数の第１の信号線と、
複数の第２の信号線と、
前記複数の第２の信号線に交差する複数の電源線と、
複数の単位回路と、を含み、
前記複数の単位回路の各々は、
電子素子と、
前記電子素子に接続され、第１の制御用端子を備えた第１のトランジスタと、を含み、
前記複数の第２の信号線のうち一つの第２の信号線を介して前記複数の単位回路の各々に供給されるデータ信号により前記第１の制御用端子の電圧が設定されること、
を特徴とする電子装置。
【請求項２】
請求項１に記載の電子装置において、
前記複数の単位回路の各々は、さらに前記第１のトランジスタに接続するとともに、前記複数の第１の信号線のうち１つの第１の信号線から供給される制御信号に応じてオン状態となることにより、前記複数の第２の信号線のうち一つの第２の信号線と前記第１のトランジスタとを電気的に接続する第２のトランジスタを含んでおり、
前記データ信号は前記第２のトランジスタを介して供給されること、
を特徴とする電子装置。
【請求項３】
請求項１又は２に記載の電子装置において、
前記データ信号としてデータ電流が供給されること、
を特徴とする電子装置。
【請求項４】
請求項３に記載の電子装置において、
前記データ電流は前記第１のトランジスタを通過すること、
を特徴とする電子装置。
【請求項５】
請求項１乃至４のいずれかに記載の電子装置において、
前記第１のトランジスタは、前記電子素子と前記複数の電源線のうち一つの電源線との間に接続されていること、
を特徴とする電子装置。
【請求項６】
請求項１乃至５のいずれかに記載の電子装置において、
前記電子素子に供給される電流の電流レベルは、前記データ信号により設定された前記第１のトランジスタの導通状態に対応していること、
を特徴とする電子装置。
【請求項７】
請求項１乃至６のいずれかに記載の電子装置において、
前記電子素子は電気光学素子であり、
前記複数の第１の信号線は複数の走査線であり、
前記複数の第２の信号線は複数のデータ線であり、
前記複数の電源線のうち一つの電源線に沿って同色の電気光学素子が配置されていること、
を特徴とする電子装置。
【請求項８】
請求項１乃至７のいずれかに記載の電子装置において、
前記複数の単位回路の各々は、さらに前記第１のトランジスタに含まれる第１の端子と前記第１の制御用端子との電気的接続を制御する第３のトランジスタを有すること、
を特徴とする電子装置。
【請求項９】
請求項８に記載の電子装置において、
前記複数の単位回路の各々に含まれるトランジスタは、前記第１のトランジスタ、
前記第２のトランジスタ及び前記第３のトランジスタのみであること、
を特徴とする電子装置。
【請求項１０】
請求項３に記載の電子装置において、
前記データ電流は前記第１のトランジスタを第１の期間に通過し、前記第１の期間において前記電子素子は非順バイアス状態又は逆バイアス状態であること、
を特徴とする電子装置。
【請求項１１】
請求項２に記載の電子装置において、
前記第１のトランジスタ及び前記第２のトランジスタを含む第１の電流経路に電流が流れる期間は、前記電子素子は非順バイアス状態又は逆バイアス状態であり、
前記第１のトランジスタ及び前記電子素子を含む第２の電流経路に電流が流れる期間は、前記電子素子は順バイアス状態にあること、
を特徴とする電子装置。
【請求項１２】
複数の走査線と、
複数のデータ線と、
複数の電気光学素子と、を備え、
前記複数の電気光学素子の各々に対応して第１のトランジスタが設けられており、
前記複数の電気光学素子は、前記複数の走査線のうち第１の走査線に沿って配置された、複数の第１の色用の電気光学素子と、前記複数の走査線のうち第２の走査線に沿って配置された、複数の第２の色用の電気光学素子とを含んでいること、
を特徴とする電気光学装置。
【請求項１３】
請求項１２に記載の電気光学装置において、
さらに前記複数の走査線に沿って延設された複数の電源線を含み、
前記第１のトランジスタは、前記複数の電源線の一つの電源線と前記複数の電気光学素子の一つの電気光学素子との間に接続されていること、
を特徴とする電気光学装置。
【請求項１４】
請求項１２又は１３に記載の電気光学装置において、
前記複数の電気光学素子は、さらに前記複数の走査線のうち第３の走査線に沿って配置された、複数の第３の色用の電気光学素子を含み、
前記第１の色は、赤であり、
前記第２の色は、緑であり、
前記第３の色は、青であること、
を特徴とする電気光学装置。
【請求項１５】
請求項１２乃至１４のいずれかに記載の電気光学装置において、
前記複数の電気光学素子は、有機EL素子であること、
を特徴とする電気光学装置。
【請求項１６】
請求項１乃至１１のいずれかに記載の電子装置又は請求項１２乃至１５のいずれかに記載の電気光学装置を備えた電子機器。
【手続補正２】
【補正対象書類名】明細書
【補正対象項目名】発明の名称
【補正方法】変更
【補正の内容】
【発明の名称】電子装置、電気光学装置及び電位機器
【手続補正３】
【補正対象書類名】明細書
【補正対象項目名】０００８
【補正方法】変更
【補正の内容】
【０００８】
本発明に係る電子装置は、複数の第１の信号線と、複数の第２の信号線と、前記複数の第２の信号線に交差する複数の電源線と、複数の単位回路と、を含み、前記複数の単位回路の各々は、電子素子と、前記電子素子に接続され、第１の制御用端子を備えた第１のトランジスタと、を含み、前記複数の第２の信号線のうち一つの第２の信号線を介して前記複数の単位回路の各々に供給されるデータ信号により前記第１の制御用端子の電圧が設定されることを特徴とする。
上記の電子装置において、前記複数の単位回路の各々は、さらに前記第１のトランジスタに接続するとともに、前記複数の第１の信号線のうち１つの第１の信号線から供給される制御信号に応じてオン状態となることにより、前記複数の第２の信号線のうち一つの第２の信号線と前記第１のトランジスタとを電気的に接続する第２のトランジスタを含んでおり、前記データ信号は前記第２のトランジスタを介して供給されるようにしてもよい。
上記の電子装置において、前記データ信号としてデータ電流が供給されるようにしてもよい。
上記の電子装置において、前記データ電流は前記第１のトランジスタを通過するようにしてもよい。
上記の電子装置において、前記第１のトランジスタは、前記電子素子と前記複数の電源線のうち一つの電源線との間に接続されていることが好ましい。
上記の電子装置において、前記電子素子に供給される電流の電流レベルは、前記データ信号により設定された前記第１のトランジスタの導通状態に対応していることが好ましい。
上記の電子装置において、前記電子素子は電気光学素子であり、前記複数の第１の信号線は複数の走査線であり、前記複数の第２の信号線は複数のデータ線であり、
前記複数の電源線のうち一つの電源線に沿って同色の電気光学素子が配置されていてもよい。
上記の電子装置において、前記複数の単位回路の各々は、さらに前記第１のトランジスタに含まれる第１の端子と前記第１の制御用端子との電気的接続を制御する第３のトランジスタを有してもよい。
上記の電子装置において、前記複数の単位回路の各々に含まれるトランジスタは、
前記第１のトランジスタ、前記第２のトランジスタ及び前記第３のトランジスタのみであってもよい。
上記の電子装置において、前記データ電流は前記第１のトランジスタを第１の期間に通過し、前記第１の期間において前記電子素子は非順バイアス状態又は逆バイアス状態であることが好ましい。
上記の電子装置において、前記第１のトランジスタ及び前記第２のトランジスタを含む第１の電流経路に電流が流れる期間は、前記電子素子は非順バイアス状態又は逆バイアス状態であり、前記第１のトランジスタ及び前記電子素子を含む第２の電流経路に電流が流れる期間は、前記電子素子は順バイアス状態にあってもよい。
本発明に係る電気光学装置は、複数の走査線と、複数のデータ線と、複数の電気光学素子と、を備え、前記複数の電気光学素子の各々に対応して第１のトランジスタが設けられており、前記複数の電気光学素子は、前記複数の走査線のうち第１の走査線に沿って配置された、複数の第１の色用の電気光学素子と、前記複数の走査線のうち第２の走査線に沿って配置された、複数の第２の色用の電気光学素子とを含んでいることを特徴とする。
上記の電気光学装置において、さらに前記複数の走査線に沿って延設された複数の電源線を含み、前記第１のトランジスタは、前記複数の電源線の一つの電源線と前記複数の電気光学素子の一つの電気光学素子との間に接続されていることが好ましい。
上記の電気光学装置において、前記複数の電気光学素子は、さらに前記複数の走査線のうち第３の走査線に沿って配置された、複数の第３の色用の電気光学素子を含み、前記第１の色は、赤であり、前記第２の色は、緑であり、前記第３の色は、青であることを特徴とする。
上記の電気光学装置において、前記複数の電気光学素子は、有機EL素子であってもよい。
上記の電子装置又は上記の電気光学装置は電子機器に実装できる。
本発明における電子回路は、第１の端子と第２の端子と第１の制御用端子とを備えた第１のトランジスタと、第３の端子と第４の端子とを備え、前記第３の端子が前記第１の端子に接続された第２のトランジスタと、第５の端子と第６の端子とを備え、前記第５の端子が前記第１の端子に接続された電子素子と、前記第１の端子と前記第１の制御用端子との電気的接続を制御する第３のトランジスタと、を含む単位回路を複数有し、前記第６の端子は複数の電位に設定可能であるか、または、所定電位に電気的に接続可能であるとともに前記所定電位から電気的に切断されることが可能となっている。